(57)【要約】【課題】  冷蔵庫では、送風機が製氷室の背後である一方の側面側に偏って設置されるため、冷却器で生成された冷気のうち、もう一方の側面側で生成される冷気は、送風機までの距離が離れており、流通させるための冷気として十分に利用することができない。【解決手段】  本発明に係る冷蔵庫は、貯蔵物を冷蔵保存する冷蔵室、冷蔵室の下方に配置されて貯蔵物を冷凍保存する冷凍室、冷蔵室及び冷凍室の間に配置されて氷を製造する製氷室、冷気を生成する冷却器、冷蔵室へ冷気を送り出す通路となる冷蔵室通風路、並びに冷蔵室通風路への冷気の流通を開閉制御する冷蔵室ダンパを備えた冷蔵庫において、冷蔵室は、製氷室の上方及び側方に設けられ、冷蔵室ダンパは、製氷室の背後に設けられ、冷却器は、冷凍室の背後に設けられ、冷蔵庫は、冷却器で生成された冷気を送風する送風機を有し、送風機は、冷凍室の背後であると共に、冷却器の上方に設けられることを特徴としている。【選択図】  図５
2015224813.tif 000002
【特許請求の範囲】
【請求項１】
貯蔵物を冷蔵保存する冷蔵室、該冷蔵室の下方に配置されて貯蔵物を冷凍保存する冷凍室、前記冷蔵室及び前記冷凍室の間に配置されて氷を製造する製氷室、冷気を生成する冷却器、前記冷蔵室へ冷気を送り出す通路となる冷蔵室通風路、並びに前記冷蔵室通風路への冷気の流通を開閉制御する冷蔵室ダンパを備えた冷蔵庫において、
前記冷蔵室は、前記製氷室の上方及び側方に設けられ、
前記冷蔵室ダンパは、前記製氷室の背後に設けられ、
前記冷却器は、前記冷凍室の背後に設けられ、
前記冷蔵庫は、前記冷却器で生成された冷気を送風する送風機を有し、
前記送風機は、前記冷凍室の背後であると共に、前記冷却器の上方に設けられることを特徴とする冷蔵庫。
【請求項２】
前記冷蔵庫は、前記冷凍室の下方に配置されて野菜を冷蔵保存する野菜室を有し、
前記冷蔵室は、前記野菜室へ冷気を送り出すための冷蔵室戻り口を有し、
前記冷蔵室戻り口は、前記製氷室の側方に設けられることを特徴とする請求項１に記載の冷蔵庫。
【請求項３】
前記冷蔵室は、前記製氷室で氷を製造するための水を貯める貯水タンクを有し、
前記貯水タンクは、前記製氷室の側方に設けられることを特徴とする請求項１又は２に記載の冷蔵庫。
【請求項４】
前記冷蔵室は、前面に観音開きの扉である冷蔵室左扉及び冷蔵室右扉を有し、
前記冷蔵室は、前記冷蔵室左扉及び前記冷蔵室右扉を閉じたときに、前記冷蔵室左扉及び前記冷蔵室右扉の隙間を埋めるためのセンターピラーを有し、
前記冷蔵庫は、前記製氷室、及び前記製氷室の側方に位置する前記冷蔵室の間に仕切壁を有し、
前記センターピラーは、前記冷蔵室左扉及び前記冷蔵室右扉のうち、前記製氷室の直上に配置される扉に、前記仕切壁の位置に合わせて搭載されることを特徴とする請求項１から３のいずれかに記載の冷蔵庫。
【請求項５】
前記冷蔵室は、前記製氷室の側方に位置する部分に、前記冷蔵室の他の部分よりも低い温度で冷蔵保存するチルド室を有し、
前記冷蔵室は、前記冷蔵室通風路からの冷気を前記冷蔵室内へ吹き出す冷蔵室吹出口を有し、
前記冷蔵室吹出口は、前記チルド室以外の部分に設けられることを特徴とする請求項１から４のいずれかに記載の冷蔵庫。
【発明の詳細な説明】
【技術分野】
【０００１】
本発明は、冷蔵庫に関し、特に、冷却器で生成された冷気を送風するための送風機を備えた冷蔵庫に関する。
【背景技術】
【０００２】
冷蔵庫は、冷凍室、冷蔵室、製氷室及び野菜室を備えたものが普及している。特に、最近の冷蔵庫は、冷蔵庫の外形寸法を変更せずに冷凍室の内容積を増加させるため、冷蔵室及び冷凍室の間に、冷蔵室の略幅半分の製氷室を設け、製氷室の側方となる残り半分を冷蔵室とする場合がある。このような冷蔵庫として、次のものが開示されている。
【０００３】
図１１は、特許文献１に開示された冷蔵庫１０１において、冷却器室１０７の配置を示した正面図である。冷蔵庫１０１は、冷凍室１０２、冷凍室１０２の上方に冷蔵室１０３、冷凍室１０２の下方に野菜室１０４、冷蔵室１０３及び冷凍室１０２の間に冷蔵室１０３の略幅半分の製氷室１０５、及び製氷室１０５の側面に冷蔵室１０３の略幅半分の冷蔵室１０６を備える。
【０００４】
また、冷蔵庫１０１は、冷凍室１０２の背面に冷却器１０７、冷却器１０７の上方に送風機１０８、及び送風機１０８の上方にダンパ装置１０９を設ける。送風機１０８及びダンパ装置１０９は、製氷室１０５の後方に設置される。送風機１０８は、冷却器１０７で生成された冷気を流通させている。そして、ダンパ装置１０９を開くことによって、送風機１０８から送られる冷気は、図示しない冷気通路を介して冷蔵室１０３へ供給される。
【先行技術文献】
【特許文献】
【０００５】
【特許文献１】特開２００８−２９２０９３号公報
【発明の概要】
【発明が解決しようとする課題】
【０００６】
しかしながら、特許文献１に開示された冷蔵庫では、送風機が製氷室の背後に設置されるため、冷却器で生成された冷気のうち、製氷室の反対側となる側面付近で生成される冷気は、送風機までの距離が離れており、流通させるための冷気として十分に利用することができない。
【０００７】
本発明は、上記の問題に鑑みてなされたものであり、その目的は、冷却器で生成された冷気全体を、流通させるための冷気として十分に利用することが可能な冷蔵庫を提供することにある。
【課題を解決するための手段】
【０００８】
本発明に係る冷蔵庫は、貯蔵物を冷蔵保存する冷蔵室、冷蔵室の下方に配置されて貯蔵物を冷凍保存する冷凍室、冷蔵室及び冷凍室の間に配置されて氷を製造する製氷室、冷気を生成する冷却器、冷蔵室へ冷気を送り出す通路となる冷蔵室通風路、並びに冷蔵室通風路への冷気の流通を開閉制御する冷蔵室ダンパを備えた冷蔵庫において、冷蔵室は、製氷室の上方及び側方に設けられ、冷蔵室ダンパは、製氷室の背後に設けられ、冷却器は、冷凍室の背後に設けられ、冷蔵庫は、冷却器で生成された冷気を送風する送風機を有し、送風機は、冷凍室の背後であると共に、冷却器の上方に設けられることを特徴としている。
【０００９】
本発明の一実施態様においては、冷蔵庫は、冷凍室の下方に配置されて野菜を冷蔵保存する野菜室を有し、冷蔵室は、野菜室へ冷気を送り出すための冷蔵室戻り口を有し、冷蔵室戻り口は、製氷室の側方に設けられても良い。
【００１０】
本発明の一実施態様においては、冷蔵室は、製氷室で氷を製造するための水を貯める貯水タンクを有し、貯水タンクは、製氷室の側方に設けられても良い。
【００１１】
本発明の一実施態様においては、冷蔵室は、前面に観音開きの扉である冷蔵室左扉及び冷蔵室右扉を有し、冷蔵室は、冷蔵室左扉及び冷蔵室右扉を閉じたときに、冷蔵室左扉及び冷蔵室右扉の隙間を埋めるためのセンターピラーを有し、冷蔵庫は、製氷室、及び製氷室の側方に位置する冷蔵室の間に仕切壁を有し、センターピラーは、冷蔵室左扉及び冷蔵室右扉のうち、製氷室の直上に配置される扉に、仕切壁の位置に合わせて搭載されても良い。
【００１２】
本発明の一実施態様においては、冷蔵室は、製氷室の側方に位置する部分に、冷蔵室の他の部分よりも低い温度で冷蔵保存するチルド室を有し、冷蔵室は、冷蔵室通風路からの冷気を冷蔵室内へ吹き出す冷蔵室吹出口を有し、冷蔵室吹出口は、チルド室以外の部分に設けられても良い。
【発明の効果】
【００１３】
本発明に係る冷蔵庫は、冷却器で生成された冷気全体を、流通させるための冷気として十分に利用することができる。
【図面の簡単な説明】
【００１４】
【図１】実施形態１の冷蔵庫の概略正面図である。
【図２】実施形態１の冷蔵庫の冷蔵室右扉を開けた状態の概略正面図である。
【図３】実施形態１の冷蔵庫の扉を外した状態の概略正面図である。
【図４】図３のＡ−Ａ線を左側面から見たときの模式断面図である。
【図５】実施形態１の冷蔵庫の冷却器及び送風機の配置を示す模式正面図である。
【図６】実施形態２の冷蔵庫の概略正面図である。
【図７】実施形態２の冷蔵庫の扉を外した状態の概略正面図である。
【図８】実施形態３の冷蔵庫の冷蔵室右扉を開けた状態の概略正面図である。
【図９】実施形態４の冷蔵庫の冷蔵室左扉及び冷蔵室右扉を開けた状態の概略正面図である。
【図１０】実施形態５の冷蔵庫の冷却器及び送風機の配置を示す模式正面図である。
【図１１】特許文献１に開示された冷蔵庫において、冷却器室の配置を示した正面図である。
【発明を実施するための形態】
【００１５】
〔実施形態１〕
実施形態１に係る冷蔵庫について、図面を参照して説明すれば、以下の通りである。
【００１６】
図１は、本実施形態に用いられる冷蔵庫１の概略正面図である。図２は、本実施形態に用いられる冷蔵庫１の冷蔵室右扉７を開けた状態の概略正面図である。図３は、本実施形態に用いられる冷蔵庫１の扉を外した状態の概略正面図である。
【００１７】
図１及び図２に示す様に、本実施形態の冷蔵庫１は、貯蔵室として、冷蔵室２、製氷室３、冷凍室４及び野菜室５を備える。冷蔵室２は、冷蔵庫１の最上段に設けられ、前面に観音開きの扉である冷蔵室左扉６及び冷蔵室右扉７を有する。使用者は、冷蔵室左扉６及び冷蔵室右扉７を開いて、冷蔵保存する貯蔵物の出し入れを行うことができる。
【００１８】
冷蔵庫１では、冷蔵室左扉６及び冷蔵室右扉７を閉じたときに、冷蔵室左扉６及び冷蔵室右扉７の隙間を埋めるためにセンターピラー２ａが設けられる。センターピラー２ａは、冷蔵室左扉６に搭載されており、使用者が冷蔵室左扉６及び冷蔵室右扉７を開けるときに、センターピラー２ａが障害とならずに冷蔵室２に貯蔵物を出し入れし易くなっている。
【００１９】
また、センターピラー２ａの上下側及び冷蔵室２の間の隙間から冷気が漏れることを防止するため、冷蔵室左扉６の右上に及び右下にヒレ６ａ、冷蔵室右扉７の左上及び左下にヒレ７ａを設ける。
【００２０】
図２に示す様に、冷蔵室２は、冷蔵室２内に冷気を吹き出すための複数の冷蔵室吹出口８、冷蔵室２内の空間を仕切る複数の仕切棚９、複数の収納ポケット１０、及びチルド室１１を有する。仕切棚９の上面には、冷蔵保存する貯蔵物を載置することができる。収納ポケット１０は、冷蔵室左扉６及び冷蔵室右扉７に設けられ、飲料容器等を収納することができる。尚、冷蔵室左扉６に搭載されるセンターピラー２ａは、冷蔵室右扉７における下側の収納ポケット１０に対応する位置には設けられていないため、上側の収納ポケット１０に比べて横幅のサイズを大きくすることが可能となる。
【００２１】
チルド室１１は、冷蔵室２の右下側に設けられる。また、チルド室１１は、正面から見て、冷蔵室２におけるチルド室１１より上側部分の略幅半分の大きさである。チルド室１１には、貯蔵物を収納する収納ケース１２、及び貯水タンク１３が設置される。貯水タンク１３は、製氷室３で氷を作るための水を貯めている。チルド室１１は、冷蔵室２の他の部分よりも低い温度となる約０℃に維持される。
【００２２】
図２及び図３に示す様に、製氷室３は、チルド室１１の側方に設けられ、前面に製氷室扉１４を有する。また、製氷室３は、正面から見て、冷蔵室２における製氷室３より上側部分の略幅半分の大きさである。製氷室３には、製氷トレイ１５を有した製氷装置１６、及び貯氷ケース１７が設置される。貯氷ケース１７は、製氷装置１６の下方に設けられ、製氷トレイ１５で作成された氷を貯氷する樹脂成型品のケースである。使用者は、製氷室扉１４を開いて、貯氷ケース１７から氷を取り出すことができる。
【００２３】
尚、製氷室３及びチルド室１１の間には、仕切壁３ａが設けられる。仕切壁３ａは、正面から見て、冷蔵室２の中央部に位置しており、仕切壁３ａの位置に合わせてセンターピラー２ａを冷蔵室左扉６に搭載することにより、センターピラー２ａの位置決めを容易に行うことができる。
【００２４】
冷凍室４は、チルド室１１及び製氷室３の下方に設けられ、引き出し式の扉である冷凍室扉３７を有する。冷凍室４には、冷凍保存する貯蔵物を収納する収納ケース１８及び収納ケース１９が設置される。使用者は、冷凍室扉３７を前方に引き出して、冷凍保存する貯蔵物の出し入れを行うことができる。尚、製氷室３及び冷凍室４の間には、仕切壁３ｂが設けられる。
【００２５】
野菜室５は、冷凍室４の下方に設けられ、引き出し式の扉である野菜室扉３８を有する。野菜室５には、野菜を収納する収納ケース２０及び収納ケース２１が設置される。使用者は、野菜室扉３８を前方に引き出して、野菜の出し入れを行うことができる。野菜室５は、野菜の貯蔵に適した温度である約３〜８℃程度に維持される。
【００２６】
図４は、図３のＡ−Ａ線を左側面から見たときの模式断面図である。図５は、本実施形態に用いられる冷蔵庫１の冷却器２２及び送風機２３の配置を示す模式正面図である。
【００２７】
図４に示す様に、冷蔵庫１は、外箱５０及び内箱５１の間に発泡断熱材５２が充填される。冷蔵庫１の背面下方には、冷却器２２及び圧縮機２４が設けられる。圧縮機２４は、冷却器２２、図示しない凝縮器及び膨張器に接続される。圧縮機２４の駆動によって、イソブタン等の冷媒が循環して冷凍サイクルが開始される。そして、冷凍サイクルの低温側となる冷却器２２での熱交換によって、冷気が生成される。
【００２８】
また、圧縮機２４は、冷蔵室２及び冷凍室４の室内温度が上限設定温度よりも上昇すると駆動させ、下限設定温度以下になると停止させるＯＮ／ＯＦＦ制御や、圧縮機２４の回転数を可変することによって冷凍能力を調整するインバータ制御や、それらを組み合わせた制御等で運転される。
【００２９】
冷凍室４の背後には、第１通風路２５が設けられる。第１通風路２５内には、冷却器２２及び送風機２３が配置される。冷蔵室２の背後には、第１通風路２５と接続される冷蔵室通風路２６が設けられる。生成された冷気は、第１通風路２５及び冷蔵室通風路２６を通って、各貯蔵室に供給される。
【００３０】
図４及び図５に示す様に、冷却器２２で生成された冷気は、送風機２３によって、製氷室吹出口２７から製氷室３へ冷気が吹き出されるとともに、冷凍室吹出口２８から冷凍室４へ冷気が吹き出される。これによって、製氷室３及び冷凍室４が冷やされる。
【００３１】
また、図示しないが、製氷室３及び冷凍室４は繋がっており、製氷室３及び冷凍室４を経た冷気は、冷凍室戻り口２９から冷却器２２に戻る。
【００３２】
第１通風路２５及び冷蔵室通風路２６の間には、冷蔵室ダンパ３０が設けられる。冷蔵室ダンパ３０は、製氷室３の背後に位置する。冷蔵室ダンパ３０を開いた後、冷却器２２で生成された冷気は、送風機２３によって、冷蔵室通風路２６内に流通する。
【００３３】
冷蔵室通風路２６は、冷蔵室２の背面に設けられた複数の冷蔵室吹出口８に繋がっている。そして、冷蔵室通風路２６を流れる冷気は、複数の冷蔵室吹出口８から冷蔵室２内へ吹き出される。
【００３４】
また、冷蔵室通風路２６は、チルド室１１の背面に設けられたチルド室吹出口３１に繋がっている。そして、冷蔵室通風路２６を流れる冷気は、チルド室吹出口３１からチルド室１１へ吹き出される。
【００３５】
冷蔵室２の右下側には、冷蔵室２内の冷気を集め、野菜室５へ送り出す冷蔵室戻り口３２が設けられる。そして、冷蔵室戻り口３２には、冷蔵室２内を流通して温度が上昇した冷気が流れていくことになる。ここで、貯水タンク１３は、冷蔵室２内における製氷室３の側方に設けられるが、冷蔵室戻り口３２の近傍に設けられることになるため、貯水タンク１３の凍結が抑制される。
【００３６】
尚、冷蔵室戻り口３２を冷蔵室２の右下側ではなく、左下側に設ける場合には、製氷室３の上方の位置に設けることになるため、冷蔵室吹出口８との間の距離が短くなる。冷蔵室吹出口８及び冷蔵室戻り口３２の間の距離が短くなると、冷蔵室吹出口８から吹き出された冷気は、冷蔵室２内で十分に循環される前に冷蔵室戻り口３２から流れていくことになる。本実施形態では、冷蔵室２内で十分に冷気を循環するため、冷蔵室戻り口３２を冷蔵室２内における製氷室３の側方に設けている。
【００３７】
また、冷蔵室戻り口３２は、冷蔵室２内の冷気を野菜室５へ送るための通路である野菜室用通風路３３に繋がっている。そして、冷蔵室戻り口３２から野菜室用通風路３３へ送り出された冷気は、野菜室吹出口３４から野菜室５内に吹き出される。このように、冷蔵室通風路２６へ導かれた冷気は、冷蔵室２及びチルド室１１を流通した後、野菜室５へ流入する。
【００３８】
野菜室５へ流入した冷気は、野菜室５内を流れた後、野菜室戻り口３５から戻り通風路３６を介して冷却器２２へ戻る。冷蔵室２、チルド室１１及び野菜室５が冷却されて設定温度になると、冷蔵室ダンパ３０は閉じられ、冷気を遮断し、設定温度より高くなると再び冷蔵室ダンパ３０が開かれ、冷気が供給される。
【００３９】
ここで、本実施形態では、図５に示す様に、冷凍室４の背後に送風機２３を配置することにより、冷凍室４の背後に配置される冷却器２２から発生する冷気全体を、製氷室３の背後に配置される冷蔵室ダンパ３０へ送り出すことができる。より具体的に記述すると、送風機２３は、冷却器２２の上方であるとともに、冷却器２２の横幅の略中央部付近に配置される。送風機２３をそのように配置することによって、冷却器２２の左端から発生する冷気Ａ、及び冷却器２２の右端から発生する冷気Ｂの両方ともに、送風機２３を介して冷蔵室ダンパ３０へ十分に送り出されることになる。
【００４０】
ところで、送風機２３を冷蔵室２の背後に配置する場合には、送風機２３によって冷気の動きが活発になり、背後で流通する冷気で冷蔵室２が必要以上に冷却されることになる。そのため、送風機２３は、冷蔵室２の背後に配置するのは適切ではなく、製氷室３又は冷凍室４の背後に配置する必要がある。
【００４１】
送風機２３が冷蔵室ダンパ３０と同様に、製氷室３の背後に配置される場合には、冷気Ａは送風機２３を介して冷蔵室ダンパ３０へ十分に送り出されるが、冷気Ｂは送風機２３までの距離が長くなるため、送風機２３を介して冷蔵室ダンパ３０へ十分には送り出せなくなる。
【００４２】
そこで、本実施形態では、冷凍室４の背後に送風機２３を配置することにより、冷却器２２で冷却された冷気全体を、流通させるための冷気として十分に利用することができる。
【００４３】
尚、本実施形態では、送風機２３を冷却器２２の横幅の略中央部付近に配置しているが、それに限定されない。送風機２３を冷却器２２の横幅の略中央部付近に配置することは、冷却器２２の両端で発生する冷気を冷蔵室ダンパ３０、製氷室吹出口２７及び冷凍室吹出口２８へ淀みなく送り出すことになるので、大変好ましい。しかし、送風機２３は、冷凍室４の背後で冷却器２２の上方に配置すれば、冷却器２２の横幅の略中央部付近に配置していなくても、冷却器２２の冷気全体を冷蔵室ダンパ３０、製氷室吹出口２７及び冷凍室吹出口２８へ送り出すことができる。
【００４４】
また、本実施形態では、冷却器２２で発生した冷気を冷蔵室ダンパ３０、製氷室吹出口２７及び冷凍室吹出口２８へ送り出すために送風機２３を設けているが、それに加えて、冷蔵室ダンパ３０から冷気を冷蔵室通風路２６へ十分に流通させるために、冷蔵室通風路２６内に別の送風機を配置しても良い。
【００４５】
さらに、本実施形態では、製氷室３及びチルド室１１を冷蔵室２における製氷室３の上側部分の略幅半分の大きさとしているが、それに限定されない。一方の幅を大きく、もう一方の幅を小さくしても良い。
【００４６】
さらに、本実施形態では、正面から見て、製氷室３を左側、チルド室１１を右側に設けているが、それに限定されない。製氷室３を右側、チルド室１１を左側に設けても良い。
【００４７】
さらに、本実施形態では、冷凍室４内に２つの収納ケースである収納ケース１８及び収納ケース１９を設置しているが、それに限定されない。１つの収納ケースを設置しても良いし、３つ以上の収納ケースを収納しても良い。
【００４８】
さらに、本実施形態では、野菜室５内に２つの収納ケースである収納ケース２０及び収納ケース２１を設置しているが、それに限定されない。１つの収納ケースを設置しても良いし、３つ以上の収納ケースを収納しても良い。
【００４９】
さらに、本実施形態では、野菜室５を冷凍室４の下方に設けているが、それに限定されない。野菜室５を冷蔵室２内に設けて、チルド室１１及び製氷室３の下方には、冷凍室４のみとしても良い。野菜室５を冷凍室４の下方に設ける場合と比べて、冷凍室４の内容積をより増加させることが可能となる。
【００５０】
〔実施形態２〕
実施形態２に係る冷蔵庫１ａについて、図面を参照して説明すれば、以下の通りである。本実施形態は、製氷室３及び冷凍室４の扉を１個の扉として、製氷室３及び冷凍室４を１つの空間としていることが、実施形態１とは異なる。本実施形態では、実施形態１と異なる部分を中心に説明を行う。
【００５１】
図６は、本実施形態に用いられる冷蔵庫１ａの概略正面図である。図７は、本実施形態に用いられる冷蔵庫１ａの扉を外した状態の概略正面図である。
【００５２】
図６に示す様に、製氷室３及び冷凍室４は、１個の引き出し式の扉である冷凍室扉３９を有する。本実施形態では、実施形態１の様に製氷室３及び冷凍室４を別々の扉とする場合とは異なって、製氷室３及び冷凍室４の境目となる部分から熱が侵入することがなくなる。つまり、本実施形態では、熱が侵入する部分が少なくなるため、省エネルギー化を図ることができる。
【００５３】
また、図７に示す様に、製氷室３及び冷凍室４は、１つの空間となっている。本実施形態では、実施形態１の様な製氷室３及び冷凍室４の間に仕切壁３ｂを設ける場合とは異なって、製氷室３又は冷凍室４の貯蔵スペースを大きくすることが可能となる。本実施形態では、製氷室３内の貯氷ケース１７ａのサイズを実施形態１の貯氷ケース１７のサイズより大きくしている。これによって、製氷室３内でより多くの氷を保管することができる。
【００５４】
尚、本実施形態では、製氷室３内の貯氷ケース１７ａのサイズを実施形態１の貯氷ケース１７のサイズより大きくしているが、それに限定されない。製氷室３内の製氷装置１６のサイズを大きくしても良い。これにより、一度に作製する氷の数量を多くすることができる。また、冷凍室４内の収納ケース１８又は収納ケース１９のサイズを大きくしても良い。これにより、より多くの貯蔵物を冷凍保存することができる。
【００５５】
〔実施形態３〕
実施形態３に係る冷蔵庫１ｂについて、図面を参照して説明すれば、以下の通りである。本実施形態は、冷蔵室２及び製氷室３の扉を１個の扉としていることが、実施形態１とは異なる。本実施形態では、実施形態１と異なる部分を中心に説明を行う。
【００５６】
図８は、本実施形態に用いられる冷蔵庫１ｂの冷蔵室左扉４０を開けた状態の概略正面図である。図８に示す様に、冷蔵室２及び製氷室３は、１個の扉である冷蔵室左扉４０を有する。
【００５７】
本実施形態では、実施形態１の様に冷蔵室２及び製氷室３を別々の扉とする場合とは異なって、冷蔵室２及び製氷室３の境目となる部分から熱が侵入することがなくなる。つまり、本実施形態では、熱が侵入する部分が少なくなるため、省エネルギー化を図ることができる。
【００５８】
また、本実施形態では、製氷室３が独立した扉を持たないため、冷蔵室左扉４０及び冷蔵室右扉７で段差がなくなり、デザイン的に優れたものとすることができる。さらに、冷蔵室左扉４０及び冷蔵室右扉７が同じ高さになるため、扉の加工を容易にすることができる。
【００５９】
〔実施形態４〕
実施形態４に係る冷蔵庫１ｃについて、図面を参照して説明すれば、以下の通りである。本実施形態は、冷蔵庫１ｃにセンターピラーを設けていないことが、実施形態１とは異なる。本実施形態では、実施形態１と異なる部分を中心に説明を行う。
【００６０】
図９は、本実施形態に用いられる冷蔵庫１ｃの冷蔵室左扉６及び冷蔵室右扉７を開けた状態の概略正面図である。図９に示す様に、冷蔵庫１ｃはセンターピラーを有しない。冷蔵庫１ｃでは、冷蔵室左扉６及び冷蔵室右扉７を閉じたとき、冷蔵室左扉６及び冷蔵室右扉７の間に隙間が生じることなく、合わせられる様になっている。
【００６１】
本実施形態では、実施形態１の様にセンターピラー２ａを有する場合とは異なって、最下段の収納ポケット１０だけではなく、上段の収納ポケット１０の横幅のサイズを大きくすることが可能となる。
【００６２】
〔実施形態５〕
実施形態５に係る冷蔵庫１ｄについて、図面を参照して説明すれば、以下の通りである。本実施形態は、チルド室１１にチルド室吹出口を設けていないことが、実施形態１とは異なる。本実施形態では、実施形態１と異なる部分を中心に説明を行う。
【００６３】
図１０は、本実施形態に用いられる冷蔵庫１ｄの冷却器２２及び送風機２３の配置を示す模式正面図である。図１０に示す様に、チルド室１１はチルド室吹出口を有しない。チルド室１１は、側方に製氷室３、及び下部に冷凍室４が設けられており、側方及び下部からの冷熱によってチルド室１１内を冷蔵することが可能である。
【００６４】
本実施形態では、実施形態１の様にチルド室１１にチルド室吹出口３１を設ける場合とは異なって、冷気によってチルド室１１内の貯蔵物が乾燥することを防ぐことが可能となる。
【００６５】
以上、実施形態１〜５について具体的に説明を行ったが、本発明はそれらに限定されるものではない。上述した５つ実施形態にそれぞれ開示された技術的手段を適宜組み合せて得られる実施形態についても本発明の技術的範囲に含まれる。
【産業上の利用可能性】
【００６６】
本発明に係る冷蔵庫は、冷却器で生成された冷気を送風するための送風機を備えた冷蔵庫全般に広く適用することができる。
【符号の説明】
【００６７】
１  冷蔵庫
２  冷蔵室
２ａ  センターピラー
３  製氷室
３ａ  仕切壁
３ｂ  仕切壁
４  冷凍室
５  野菜室
６  冷蔵室左扉
７  冷蔵室右扉
８  冷蔵室吹出口
１１  チルド室
１３  貯水タンク
２２  冷却器
２３  送風機
２６  冷蔵室通風路
３０  冷蔵室ダンパ
３１  チルド室吹出口
３２  冷蔵室戻り口
【図１】
2015224813.tif 000003
【図２】
2015224813.tif 000004
【図３】
2015224813.tif 000005
【図４】
2015224813.tif 000006
【図５】
2015224813.tif 000007
【図６】
2015224813.tif 000008
【図７】
2015224813.tif 000009
【図８】
2015224813.tif 000010
【図９】
2015224813.tif 000011
【図１０】
2015224813.tif 000012
【図１１】
2015224813.tif 000013